(57)【要約】【課題】照射方向を容易に調整することができる傾動式照明器具を提供する。【解決手段】光源部１１は、照射方向と反対側に板状に延伸するエプロン部１１Ｐを備え、ハウジング１０の底面１０Ｂに立設、固着する一対のＬ金具１４、１４に掛け渡された支軸１５を介して回転自在に支承される。支軸１５の両端にはボルトが形成され、これに螺合する六角ナット１６、１６を備えている。エプロン部１１Ｐには先端がハウジング１０の底面１０Ｂに当接する２個の角度調整ネジ１７、１７が螺合されている。照射方向を調整する際は、ハウジング１０の蓋１０２を取り外し、支軸１５両端の六角ナット１６、１６を緩めた後、ドライバ等の工具を用いて上方向から角度調整ネジ１７、１７を回転させる。照射方向の調整が完了すると、六角ナット１６、１６をスパナ等の工具を用いて締め付け、蓋１０２を取り付ける。【選択図】図１
2011134472.tif 000002
【特許請求の範囲】
【請求項１】
ハウジングと、前記ハウジングに支軸を介して回動自在に支承される光源部と、からなる傾動式照明器具であって、
前記光源部は、
前記支軸に対し、照射方向と反対側に延伸するエプロン部と、
前記エプロン部に螺合し、先端が前記ハウジングに当接するネジと、
を具備した傾動式照明器具。
【請求項２】
請求項１に記載の傾動式照明器具であって、
前記支軸は、少なくとも一端に、
前記光源部の回動を固定するためのボルト及びナットを具備した傾動式照明器具。
【発明の詳細な説明】
【技術分野】
【０００１】
本発明は、照射方向を調整することができる傾動式照明器具に関する。
【０００２】
従来の傾動式照明器具は、図３（ａ）及び図３（ｂ）に示すように、固定部に固定されたアーム２１に照明器具本体２０が支軸２２を介して支承され、支軸２２を支点にして回動することで照射方向を変えることができるように構成されている。
【０００３】
照明器具本体２０の側面には目盛板２３が固着されており、照明器具本体２０の回動と一緒に回動する。アーム２１の先端部分にはマーク２４が設けてあり、マーク２４の示す目盛板２３の目盛を目安にして照明器具本体２０の傾動角度を調整し、固定ボルト２５を締め付けて照射方向を固定する。
【０００４】
しかしながら、このように構成された傾動式照明器具２は、目盛板２３の目盛が軸方向に振られているため、軸方向からしか傾動角度を確認することができないという問題がある。また、傾動式照明器具２を屋外等で使用する場合に、風雨を避けるため全体を覆う外殻を設けると、外殻の側面にマーク２４が示す目盛板２３の目盛を確認するための開口を設ける必要がある。更に、橋梁等の工事現場において、作業が可能な方向に制限がある場合では、照射方向の調整が非常に困難である。
【０００５】
一方、ギアが組み合わされた角度調節機構を用いて傾動角度を変え、照射方向を調整することができる傾動式照明器具が提案されている（例えば、特許文献１参照）。
【０００６】
しかしながら、このような傾動式照明器具は、複数のギアを用いるので構成が複雑になり、且つ高価になるという問題点がある。
【先行技術文献】
【特許文献】
【０００７】
【特許文献１】特開２００５−２７６４８７号公報
【発明の概要】
【発明が解決しようとする課題】
【０００８】
本発明は、上記の事情に鑑みてなされたもので、照射方向を容易に調整することのできる傾動式照明器具を提供することを目的とする。
【課題を解決するための手段】
【０００９】
本発明の傾動式照明器具は、ハウジングと、前記ハウジングに支軸を介して回動自在に支承される光源部と、からなる傾動式照明器具であって、前記光源部は、前記支軸に対し、照射方向と反対側に延伸するエプロン部と、前記エプロン部に螺合し、先端が前記ハウジングに当接するネジと、を備えることを特徴とするものである。
【００１０】
この構成により、光源部の支軸に対して照射方向と反対側に延伸するエプロン部に螺合するネジを上方向から操作することで、エプロン部とハウジングの底部との間隔が変化し、これによって光源部が支軸に対して回動するので、照射方向を容易に調整することができる。
【００１１】
また、本発明は、上記の傾動式照明器具において、前記支軸は、少なくとも一端に、前記光源部の回動を固定するためのボルト及びナットを備えることを特徴とするものである。
【００１２】
この構成により、支軸の少なくとも一端に設けられたボルト及びナットによって、照射方向を調整した後の傾動角、即ち照射方向にズレを生ずることがない。
【発明の効果】
【００１３】
本発明によれば、照射方向を容易に調整することができる傾動式照明器具を提供することが可能となる。
【図面の簡単な説明】
【００１４】
【図１】本発明の実施形態に係る傾動式照明器具の概略構成を三角投影法によって示す図であり、（ａ）正面図、（ｂ）内部側面図、（ｃ）内部平面図
【図２】本発明の実施形態に係る傾動式照明器具において、照射方向の調整手順を順に示す図であり、（ａ）ハウジングの蓋を取り外した状態、（ｂ）支軸に締結されたナットを緩めた状態、（ｃ）角度調整ネジを回転させて光源部の傾動角を調整する状態、（ｄ）支軸のナットを締めて調整後の光源部を固定する状態の各内部側面図
【図３】従来の傾動式照明器具の概略構成を示す図であり、（ａ）側面図、（ｂ）背面図
【発明を実施するための形態】
【００１５】
以下、本発明の実施の形態に係る傾動式照明器具について、図面を用いて説明する。
【００１６】
図１（ａ）〜（ｃ）は、本発明の実施の形態に係る傾動式照明器具の概略構成を示す、それぞれ正面図、内部側面図及び内部平面図である。
【００１７】
図１（ａ）〜（ｃ）において、本実施の形態の傾動式照明器具１は、ハウジング１０と、これに収納される光源部１１を有する構成である。
【００１８】
ハウジング１０は、照射方向及び上部が開口されて形成され、それぞれガラスパネル１０１と蓋１０２によって覆われていると共に、建築部材に強固に固定された一対の取付板１２、１２にボルト及びダブルナット１３、１３によって固定されている。
【００１９】
ハウジング１０の底面１０Ｂには一対のＬ金具１４、１４が立設、固着されており、これらに掛け渡された支軸１５を介して光源部１１を回転自在に支承している。
【００２０】
支軸１５の両端にはボルトが形成され、これに螺合する六角ナット１６、１６を備えている。なお、支軸１５両端のネジ方向は互いに逆向きとすることで、後述するように照射方向のズレを軽減することができる。
【００２１】
光源部１１は、基板上に実装された多数のＬＥＤランプ１１１を有して構成され、ガラスパネル１０１を介して、矢印で示す前方に照明光を照射する。
【００２２】
また、この光源部１１には、下部の照射方向と反対側に板状に延伸するエプロン部１１Ｐが設けられてあり、その端部近傍に先端がハウジング１０の底面１０Ｂに当接する２個の角度調整ネジ１７、１７が螺合されている。
【００２３】
エプロン部１１Ｐ表面の角度調整ネジ１７、１７の周囲には、ネジの回転角度を指示するための目盛１１Ｓ、１１Ｓが設けられている。
【００２４】
角度調整ネジ１７は、一般的に使用されるすりわり付きなべ小ネジ、又は平小ネジ、更にはトラス小ネジやすりわり付き止めネジ等が使用可能である。なお、この角度調整ネジ１７は、光源部１１の傾動角を微調整できるようにするため、細目ネジであることが望ましい。
【００２５】
次に、以上のように構成された傾動式照明器具１において、照射方向の調整手順を説明する。図２（ａ）〜（ｄ）は、照射方向の調整手順を説明するための傾動式照明器具１の内部側面図である。
【００２６】
まず、図２（ａ）に示すように、蓋１０２を固定しているネジを緩め、蓋１０２を取り外して、ハウジング１０の上部を開放する。
【００２７】
次いで、図２（ｂ）に示すように、支軸１５に締結された六角ナット１６を緩める。これにより、光源部１１は、支軸１５を支点にして回動可能な状態となる。
【００２８】
図２（ｃ）は、角度調整ネジ１７、１７を回転させることで光源部１１の傾動角を調整する様子を示している。
【００２９】
図２（ｃ）において、ドライバ等の工具を用いて角度調整ネジ１７、１７を目盛１１Ｓの目盛を目安にして緩める方向（左方向）に回転させると、角度調整ネジ１７、１７の先端がハウジング１０の底面１０Ｂに当接した状態のままで、エプロン部１１Ｐと底面１０Ｂとの間隔が縮減する。これにより、光源部１１が支軸１５を支点に右回りに回転して照射方向を上方向に傾動させる（例えば、１．４°）。
【００３０】
なお、図２（ｃ）では、光源部１１の照射方向を上方向に傾動させる場合を示したが、角度調整ネジ１７、１７を締める方向（右方向）に回転させると、エプロン部１１Ｐとハウジング１０の底面１０Ｂとの間隔が拡大し、照射方向を下方向に傾動させることができるのはいうまでもない。
【００３１】
このようにして光源部１１の照射方向の調整が完了すると、図２（ｄ）に示すように、
支軸１５に螺合する六角ナット１６、１６をスパナ等の工具を用いて締め付けることで、光源部１１を、Ｌ金具１４、１４を介してハウジング１０に固定する。
【００３２】
なお、前述したように、支軸１５両端のネジ方向が互いに逆向きである場合は、六角ナット１６を締めた際に、角度調整ネジ１７がハウジング１０の底面１０Ｂに当接する方向に力が働く側の六角ナット１６を先に締め付けて固定し、その後に他方側の六角ナット１６を締め付ける。
【００３３】
これにより、光源部１１をその傾動角が調整時の状態からずれることなく固定することができる。なお、図には示していないが、最後に蓋１０２を取り付けることで全ての作業を終了する。
【００３４】
以上説明したように、このような本発明の実施形態に係る傾動式照明器具によれば、ハウジングに支軸を介して回動自在に支承される光源部の照射方向と反対側に延伸するエプロン部と、このエプロン部に螺合し、先端がハウジングの底部に当接する角度調整ネジを備え、この角度調整ネジを上方向から回転させることで、エプロン部とハウジングの底部との間隔が変化し、これに伴って光源部が支軸に対して回動するので、照射方向を容易に調整することができる。
【００３５】
また、支軸の両端に光源部の回動を固定するためのボルト及びナットを備え、照射方向を調整した後にこれを締め付けることで、照射方向にズレを生ずることがない。
【符号の説明】
【００３６】
１  傾動式照明器具
１０  ハウジング
１０Ｂ  ハウジング底面
１１  光源部
１１Ｐ  エプロン部
１５  支軸
１６  六角ナット
１７  角度調整ネジ
【図１】
2011134472.tif 000003
【図２】
2011134472.tif 000004
【図３】
2011134472.tif 000005